【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
サウンドレンダリングデバイスに接続するように構成されたテレビジョンであって、前記テレビジョンは、
少なくとも左チャンネル、右チャンネル及び中央チャンネルを含む第１のオーディオ信号を受信するように構成されたユニットと、
第２のスピーカー上でサウンドをレンダリングするために前記サウンドレンダリングデバイスに前記第１のオーディオ信号を出力するように構成された出力インタフェースと、
前記サウンドレンダリングデバイスから第２のオーディオ信号を受信するように構成されたデコーダであって、前記第２のオーディオ信号は、前記中央チャンネル又は前記中央チャンネルから取得されたさらなる左チャンネルとさらなる右チャンネルを含み、少なくとも１つの第１のスピーカー上でレンダリングするための少なくとも１つのオーディオチャンネルを提供するために、前記第２のオーディオ信号をデコードする、デコーダと、
を備える、テレビジョン。
【請求項２】
前記第２のオーディオ信号は、前記中央チャンネルを含み、前記テレビジョンは、前記第１のスピーカーの中の左スピーカーと右スピーカー上でレンダリングするために前記中央チャンネルを処理するように構成されたデジタルサウンドプロセッサユニットをさらに備える、請求項１に記載のテレビジョン。
【請求項３】
前記第２のオーディオ信号は、前記さらなる左チャンネル及び前記さらなる右チャンネルを含み、前記デコーダは、デコードされたさらなる左チャンネルを前記第１のスピーカーの中の左スピーカーに、デコードされた右チャンネルを前記第１のスピーカーの中の右スピーカーに提供する、請求項１に記載のテレビジョン。
【請求項４】
サウンドレンダリングデバイスに接続するために構成されたテレビジョンであって、前記テレビジョンは、
デコーダであって、
少なくとも左チャンネル、右チャンネル及び中央チャンネルを含む第１のオーディオ信号をデコードし、
第１のスピーカー上でレンダリングするためにデコードされた中央チャンネルを提供する、
ように構成された、デコーダと、
第２のスピーカー上でサウンドをレンダリングするために前記サウンドレンダリングデバイスに出力するために第２のオーディオ信号を取得するためにデコードされた左チャンネルとデコードされた右チャンネルをエンコードするエンコーダと、
を備える、テレビジョン。
【請求項５】
サウンドレンダリングデバイスに接続されるように構成されたテレビジョンであって、前記テレビジョンは、
デコーダであって、
少なくとも左チャンネル、右チャンネル及び中央チャンネルを含むオーディオ信号をデコードし、
第１のスピーカー上でレンダリングするためのデコードされた中央チャンネルを提供する、
デコーダと、
第２のスピーカー上でサウンドをレンダリングするために、前記オーディオ信号を前記サウンドレンダリングデバイスに出力するように構成された出力インタフェースと、
を備える、テレビジョン。
【請求項６】
前記第１のスピーカーに提供されるオーディオチャンネルのサウンド処理に対するデジタルサウンドプロセッサユニットをさらに備える、請求項１，４，５のうち何れか１項に記載のテレビジョン。
【請求項７】
前記第１のスピーカーが、前記テレビジョンの内部の左と右のスピーカーを備える、請求項１，４，５のうち何れか１項に記載のテレビジョン。
【請求項８】
前記第１のスピーカーが、前記テレビジョンの外部のサウンドバーの左と右のスピーカーを備える、請求項１，４，５のうち何れか１項に記載のテレビジョン。
【請求項９】
第１のオーディオ信号又は前記第２のオーディオ信号が、さらに、前記第１のスピーカーの中のバススピーカー上でレンダリングされるバスチャンネルをさらに含む、請求項１，４，５のうち何れか１項に記載のテレビジョン。
【請求項１０】
テレビジョンに接続するように構成されたサウンドレンダリングデバイスであって、前記サウンドレンダリングデバイスは、
デコーダであって、
少なくとも左チャンネル、右チャンネル及び中央チャンネルを含む第１のオーディオ信号を受信し、
前記チャンネルを取得するために前記第１のオーディオ信号をデコードし、
前記左チャンネルと前記右チャンネルを前記サウンドレンダリングデバイスに連結された左スピーカーと右スピーカーに提供する、
デコーダと、
第２の左チャンネルと第２の右チャンネルを取得するために前記中央チャンネルを処理するように構成されたデジタルサウンドプロセッサユニットと、
前記第２の左チャンネルと前記第２の右チャンネルを前記テレビジョンに出力するための第２のオーディオ信号にエンコードするように構成されたエンコーダと、
を備える、サウンドレンダリングデバイス。
【請求項１１】
テレビジョンに接続するように構成されたサウンドレンダリングデバイスであって、前記サウンドレンダリングデバイスは、
デコーダであって、
少なくとも左チャンネル、右チャンネル及び中央チャンネルを含む第１のオーディオ信号を受信し、
前記チャンネルを取得するために前記第１のオーディオ信号をデコードし、
前記サウンドレンダリングデバイスに連結された左スピーカーと右スピーカーへ、前記左チャンネルと前記右チャンネルを提供する、
デコーダと、
前記中央チャンネルを、前記テレビジョンに対した出力するための第２のオーディオ信号へエンコードするように構成されたエンコーダと、
を備える、サウンドレンダリングデバイス。
【請求項１２】
前記デコーダが、前記テレビジョンから前記オーディオ信号を受信するように構成される、請求項１０又は１１に記載のサウンドレンダリングデバイス。
【請求項１３】
前記デコーダが、ビデオ信号を受信するようにさらに構成され、前記エンコーダは、前記ビデオ信号を前記テレビジョンに提供するようにさらに構成される、請求項１０又は１１に記載のサウンドレンダリングデバイス。
【請求項１４】
前記デコーダが、前記ビデオ信号及び前記オーディオ信号を、前記テレビジョン以外のソースから受信するように構成される、請求項１３に記載のサウンドレンダリングデバイス。
【手続補正２】
【補正対象書類名】明細書
【補正対象項目名】００７１
【補正方法】変更
【補正の内容】
【００７１】
本願の請求項において、特定された機能を実行するための手段として表された任意の要素は、その機能を実行する任意の方法を包含することを意図し、それは、例えば、ａ）その機能を実行する回路要素の組み合わせ、又はｂ）その機能を実行するためのソフトウェアを実行するための適切な回路と組み合わせられる、ファームウェア、マイクロコードなどを従って含む任意の形式のソフトウェアを含む。そのような請求項によって定義される本開示は、様々な列挙された手段によって提供される機能性が、請求項が要求するやり方で組み合わせられ及び寄せ集められるという事実に存する。故に、これらの機能性を提供することができる任意の手段は、本明細書に示されたものと均等であると見なされる。
なお、上述の実施形態の一部又は全部は、以下の付記のように記載され得るが、以下には限定されない。
（付記１）
サウンドレンダリングデバイスに接続するために構成されたテレビジョンであって、前記テレビジョンは、
デコーダであって、
少なくとも左チャンネル、右チャンネル及び中央チャンネルを含む第１のオーディオ信号をデコードし、
第１のスピーカー上でレンダリングするためにデコードされた中央チャンネルを提供する、
ように構成された、デコーダと、
第２のスピーカー上でサウンドをレンダリングするために前記サウンドレンダリングデバイスに出力するために第２のオーディオ信号を取得するためにデコードされた左チャンネルとデコードされた右チャンネルをエンコードするエンコーダと、
を備える、テレビジョン。
（付記２）
サウンドレンダリングデバイスに接続されるように構成されたテレビジョンであって、前記テレビジョンは、
デコーダであって、
少なくとも左チャンネル、右チャンネル及び中央チャンネルを含むオーディオ信号をデコードし、
第１のスピーカー上でレンダリングするためのデコードされた中央チャンネルを提供する、
デコーダと、
第２のスピーカー上でサウンドをレンダリングするために、前記オーディオ信号を前記サウンドレンダリングデバイスに出力するように構成された出力インタフェースと、
を備える、テレビジョン。
（付記３）
サウンドレンダリングデバイスに接続するように構成されたテレビジョンであって、前記テレビジョンは、
少なくとも左チャンネル、右チャンネル及び中央チャンネルを含む第１のオーディオ信号を受信するように構成されたユニットと、
第２のスピーカー上でサウンドをレンダリングするために前記サウンドレンダリングデバイスに前記第１のオーディオ信号を出力するように構成された出力インタフェースと、
前記サウンドレンダリングデバイスから第２のオーディオ信号を受信するように構成されたデコーダであって、前記第２のオーディオ信号は、前記中央チャンネル又は前記中央チャンネルから取得されたさらなる左チャンネルとさらなる右チャンネルを含み、少なくとも１つの第１のスピーカー上でレンダリングするための少なくとも１つのオーディオチャンネルを提供するために、前記第２のオーディオ信号をデコードする、デコーダと、
を備える、テレビジョン。
（付記４）
前記第２のオーディオ信号は、前記中央チャンネルを含み、前記テレビジョンは、前記第１のスピーカーの中の左スピーカーと右スピーカー上でレンダリングするために前記中央チャンネルを処理するように構成されたデジタルサウンドプロセッサユニットをさらに備える、付記３に記載のテレビジョン。
（付記５）
前記第２のオーディオ信号は、前記さらなる左チャンネル及び前記さらなる右チャンネルを含み、前記デコーダは、デコードされたさらなる左チャンネルを前記第１のスピーカーの中の左スピーカーに、デコードされた右チャンネルを前記第１のスピーカーの中の右スピーカーに提供する、付記３に記載のテレビジョン。
（付記６）
前記第１のスピーカーに提供されるオーディオチャンネルのサウンド処理に対するデジタルサウンドプロセッサユニットをさらに備える、付記１乃至３のいずれかに記載のテレビジョン。
（付記７）
前記第１のスピーカーが、前記テレビジョンの内部の左と右のスピーカーを備える、付記１乃至３のいずれかに記載のテレビジョン。
（付記８）
前記第１のスピーカーが、前記テレビジョンの外部のサウンドバーの左と右のスピーカーを備える、付記１乃至３のいずれかに記載のテレビジョン。
（付記９）
第１のオーディオ信号又は前記第２のオーディオ信号が、さらに、前記第１のスピーカーの中のバススピーカー上でレンダリングされるバスチャンネルをさらに含む、付記１乃至３のいずれかに記載のテレビジョン。
（付記１０）
テレビジョンに接続するように構成されたサウンドレンダリングデバイスであって、前記サウンドレンダリングデバイスは、
デコーダであって、
少なくとも左チャンネル、右チャンネル及び中央チャンネルを含む第１のオーディオ信号を受信し、
前記チャンネルを取得するために前記第１のオーディオ信号をデコードし、
前記サウンドレンダリングデバイスに連結された左スピーカーと右スピーカーへ、前記左チャンネルと前記右チャンネルを提供する、
デコーダと、
前記中央チャンネルを、前記テレビジョンに対した出力するための第２のオーディオ信号へエンコードするように構成されたエンコーダと、
を備える、サウンドレンダリングデバイス。
（付記１１）
テレビジョンに接続するように構成されたサウンドレンダリングデバイスであって、前記サウンドレンダリングデバイスは、
デコーダであって、
少なくとも左チャンネル、右チャンネル及び中央チャンネルを含む第１のオーディオ信号を受信し、
前記チャンネルを取得するために前記第１のオーディオ信号をデコードし、
前記左チャンネルと前記右チャンネルを前記サウンドレンダリングデバイスに連結された左スピーカーと右スピーカーに提供する、
デコーダと、
第２の左チャンネルと第２の右チャンネルを取得するために前記中央チャンネルを処理するように構成されたデジタルサウンドプロセッサユニットと、
前記第２の左チャンネルと前記第２の右チャンネルを前記テレビジョンに出力するための第２のオーディオ信号にエンコードするように構成されたエンコーダと、
を備える、サウンドレンダリングデバイス。
（付記１２）
前記デコーダが、前記テレビジョンから前記オーディオ信号を受信するように構成される、付記１０又は１１に記載のサウンドレンダリングデバイス。
（付記１３）
前記デコーダが、ビデオ信号を受信するようにさらに構成され、前記エンコーダは、前記ビデオ信号を前記テレビジョンに提供するようにさらに構成される、付記１０又は１１に記載のサウンドレンダリングデバイス。
（付記１４）
前記デコーダが、前記ビデオ信号及び前記オーディオ信号を、前記テレビジョン以外のソースから受信するように構成される、付記１３に記載のサウンドレンダリングデバイス。